(57)【特許請求の範囲】
【請求項１】
パイプの被検査部分の内・外に設置した超音波発信器およびその受信器を用いて超音波の通過の有無を調べることによりパイプ溶着部の確実性を検査するために、パイプ内部をその被検査部分の一方側または両側で仕切るパイプの漏洩検査用仕切り具であって、
パイプの内部に移動可能に挿入するための略円盤状の仕切りフレームと、
この仕切りフレームの外周縁に沿って取り付けられた輪状の弾性中空体と、
この弾性中空体に取り付けられ、弾性中空部内に加圧空気を逆止可能に導入することにより弾性中空体を膨くらませ、弾性中空体の膨らんだ外周部分をパイプの内周面に密接保持させるための加圧空気導入部と
を備えたパイプ溶着部の超音波漏洩検査用仕切り具。
【請求項２】
仕切りフレームが、パイプの内部に移動可能に挿入するための略円形の仕切り板と、この仕切り板の外周縁に沿って、開口を外向きとし弾性中空体を嵌入保持するための断面コ字状部を有するリムとからなる請求項１記載のパイプ溶着部の超音波漏洩検査用仕切り具。
【請求項３】
加圧空気導入部が、弾性中空体に取り付けられた逆支弁付き加圧空気導入用ノズルからなる請求項１または２記載のパイプ溶着部の超音波の漏洩検査用仕切り具。
【請求項４】
パイプが熱可塑性樹脂より形成され、その被検査部分が、パイプの溶着接合部である請求項１〜３のいずれか一つに記載のパイプ溶着部の超音波漏洩検査用仕切り具。
【請求項５】
パイプの溶着接合部が、パイプの受け口と差し口との接合部、またはパイプとパイプ継ぎ手の嵌合部または接合部である請求項４記載のパイプ溶着部の超音波漏洩検査用仕切り具。
【請求項６】
パイプが、その口径を２００〜３０００ｍｍとしてなる請求項１〜５のいずれか一つに記載のパイプ溶着部の超音波漏洩検査用仕切り具。
【請求項７】
パイプ内部をその被検査部分の一方側または両側で仕切る仕
切り具と、この仕切り具で仕切られた被検査部分の内部に非接触に設置される超音波発信器と、この超音波発信器に対応してパイプの被検査部分の外部に非接触に設置され、超音波発信器から被検査部分を介して通過する超音波の有無を検出することによりパイプ溶着部の超音波漏洩検出信号を受信する超音波受信器とを備え、
前記仕切り具が、
パイプの内部に移動可能に挿入するための略円盤状の仕切りフレームと、
この仕切りフレームの外周縁に沿って取り付けられた輪状の弾性中空体と、
この弾性中空体に取り付けられ、弾性中空体内に加圧空気を逆止可能に導入することにより弾性中空体を膨くらませ、弾性中空体の膨らんだ外周部分をパイプの内周面に密接保持させるための加圧空気導入部と
からなるパイプ溶着部の超音波漏洩検査装置。
【発明の詳細な説明】
【０００１】
【発明の属する技術分野】
本発明は、パイプ溶着部の気密性（確実性）を超音波による検査（超音波の隙間を反射しながら進行する性質を利用）の際、管の開口部（管端）から超音波の漏洩を防止するために用いる検査用仕切り具およびそれを用いる検査用装置に関し、さらに詳しくは、パイプの被検査部分の内・外に設置した超音波発信器およびその受信器を用いて超音波の通過（漏洩）の有無を調べパイプ溶着部の確実性を検査するときに用いられる、超音波漏洩防止用検査用仕切り具およびそれを含む超音波漏洩防止用検査装置に関する。
【０００２】
【従来の技術】
従来、パイプの接合部、例えば熱可塑性樹脂製パイプ継ぎ手（管継ぎ手）の電気溶着部の確実性を検査する場合、被検査部分の内・外に超音波発信器およびその受信器を設置し、それらの発信・受信器で超音波の通過の有無を調べ、それによって溶着部の確実性を検査する。
【０００３】
そして、実際にパイプ溶着部の確実性を超音波の漏洩の有無によって検査するに当たっては、超音波発信器で発生する超音波をできるだけ有効に利用するために（超音波がパイプ内部を通ってパイプの両端開口から逃げないように）、パイプの被検査部分の内部を両側から気密に仕切ることが必要である。
【０００４】
【発明が解決しようとする課題】
しかし、パイプの内径（口径）は、２００〜３０００ｍｍ程度の範囲にわたっているので、仕切りに円盤状のものを使用するとすれば、パイプの内径ごとに多数の円盤状のものを予め準備しておく必要がある。
【０００５】
またパイプは、その径が大きくなるほど自重により楕円形にたわみやすく、真円に保持することが困難になる。
【０００６】
本発明は、このような問題を解決すべくなされたもので、パイプの変形（真円からのズレや、内面の凹凸）があっても、溶着部の超音波漏洩の有無による検査ができるパイプ溶着部の超音波漏洩検査用仕切り具およびそれを用いる漏洩検査装置を提供することを目的としている。
【０００７】
【課題を解決するための手段】
本発明は、パイプの被検査部分の内・外に設置した超音波発信器およびその受信器を用いて超音波の通過（漏洩）の有無を調べることによりパイプ溶着部の確実性を検査するために、パイプ内部をその被検査部分の一方側または両側で仕切るパイプ溶着部の超音波漏洩検査用仕切り具であって、
パイプの内部に移動可能に挿入するための略円盤状の仕切りフレームと、
この仕切りフレームの外周縁に沿って取り付けられた輪状の弾性中空体と、
この弾性中空体に取り付けられ、弾性中空体内に加圧空気を導入することにより弾性中空体を膨くらませ、弾性中空体の膨らんだ外周部分をパイプの内周面に密接保持させるための加圧空気導入部と
を備えたパイプ溶着部の超音波漏洩検査用仕切り具を提供するものである。
【０００８】
すなわち、本発明は、仕切りフレームの外周縁に沿って取り付けられた輪状の弾性中空体およびこの弾性中空体を膨らませるための加圧空気導入部を備えているので、弾性中空体を膨らませてその外周部分をパイプの内周面に密接保持させることができ、それによってパイプ内面の円形が変形したり、内径が若干相違したり、内面に凹凸があっても、パイプ内部をその被検査部分（溶着部）の一方側または両側で気密に仕切って超音波をパイプの被検査部分に有効に利用でき、パイプ溶着部の超音波漏洩検出をより確実にできるようにした。
【０００９】
本発明において、輪状の弾性中空体は、自転車のタイヤ用チューブのごとき弾性中空体を典型的な例とするもので、ゴム系の材料で構成され、自由状態で折径および肉厚を、適用するパイプの内径によっても異なるが、それぞれ２０〜１００ｍｍ、２〜１０ｍｍとするものが好ましい。
さらに、この弾性中空体には、加圧空気導入部、例えば逆支弁付き加圧空気導入用ノズルが、ポンプによって加圧空気を導入可能に取り付けられるのが好ましい。
【００１０】
一方、略円盤状の仕切りフレームは、実質的に超音波を遮蔽でき、かつ上述の弾性中空体を保持できるよう構成され、具体的には、略円盤状の仕切りフレームを、パイプの内部に移動可能に挿入するための、略円形でポリカーボネート樹脂やポリエチレン樹脂のごとき（合成）樹脂製や、アルミニュウムや鉄のごとき金属製の仕切りフレームと、この仕切りフレームの外周縁に沿って、開口を外向きとし弾性中空体を嵌入保持するための、断面コ字状部を有するポリカーボネート樹脂やポリエチレン樹脂のごとき（合成）樹脂製や、アルミニュウムや鉄のごとき金属製で弾性中空体の加圧による膨らみでその形状を著しく変形させないリムとで構成するのが好ましい。
【００１１】
本発明に係るパイプ溶着部の超音波漏洩検査用仕切り具は、通常、パイプの被検査部分を挟むようにパイプ内の両側にそれぞれ設置されるが、パイプの一方開口を設ければよい場合もある。すなわち、パイプの一開口部が超音波探傷器（発信器と受信機）から実質的に遠距離にあり、一開口部からの超音波の漏洩を受信しない場合は仕切り具は両側に設置しなくてもよい。
【００１２】
ここで、これらパイプ溶着部の超音波漏洩検査用仕切り具および漏洩検査装置によって超音波漏洩検査できる対象は、パイプの溶着接合部が、パイプの受け口と差し口部との溶着接合部、またはパイプとパイプ継ぎ手の溶着接合部（電気溶着部、溶接部など）を挙げることができ、さらに、パイプ状の容器の接合部や、ボックスの接合部も対象に含めることができる。
【００１３】
本発明は、別の観点によれば、パイプ内部をその被検査部分の一方側または両側で仕切る仕切り具と、この仕切り具で仕切られた被検査部分の内部に非接触に設置される超音波発信器と、この超音波発信器に対応してパイプの被検査部分の外部に非接触に設置され、超音波発信器から被検査部分を介して通過する超音波の有無を検出することによりパイプの漏洩検出信号を受信する超音波受信器とを備え、前記仕切り具が、パイプの内部に移動可能に挿入するための略円盤状の仕切りフレームと、この仕切りフレームの外周縁に沿って取り付けられた輪状の弾性中空体と、この弾性中空体に取り付けられ、弾性中空体内に加圧空気を逆止可能に導入することにより弾性中空体を膨くらませ、弾性中空体の膨らんだ外周部分をパイプの内周面に密接保持させるための加圧空気導入部とからなるパイプ溶着部の超音波漏洩検査装置を提供できる。
【００１４】
【発明の実施の形態】
次に、本発明に係るパイプ溶着部の超音波漏洩検査用仕切り具およびそれを用いる漏洩検査用装置を、図に示す実施の形態に基づいて説明する。
【００１５】
さて、図１は、本発明に係るパイプ溶着部の超音波漏洩検査用装置の実施の形態を示す一部破断部分を含む概略構成説明斜視図である。
図２は仕切り具の、向かって左側半分を省略する正面図、図３はその中央縦断面図、図４は図３のＡ部拡大図である。
【００１６】
まず、図１において、パイプ溶着部の超音波漏洩検査用装置１は、パイプの被検査部分としての継ぎ手１０内部を、その両側で仕切る仕切り具９，９と、これらの仕切り具で仕切られた被検査部分の内部に非接触に（超音波の遮断効果のある樹脂製または金属製板片を介して）設置される超音波発信器５と、パイプの被検査部分の外部に非接触に（移動可能に適宜保持されて）設置され、超音波発信器５から被検査部分を介して通過する超音波の有無を検出することによりパイプ溶着部の超音波漏洩検出信号を受信する超音波受信器７とから主としてなる。
【００１７】
そして、この仕切り具９は、特に図２〜４において、パイプの内部に移動可能に挿入するための略円盤状の仕切りフレーム（蓋）８と、この仕切りフレームの外周縁に沿って取り付けられた輪状の弾性中空体（ゴム製中空シーリング）１１と、この弾性中空体内に加圧空気を導入することにより弾性中空体１１を膨くらませ、弾性中空体１１の膨らんだ外周部分をパイプの内周面に密接させて仕切りフレーム８および弾性中空体１１によりパイプ内部をその被検査部分を挟んで仕切るための加圧空気導入部１２とからなる。なお、もう一つの仕切り具９は、上述の仕切り具９と同じ構成からなるので説明を省略する。
【００１８】
この加圧空気導入部１２は、弾性中空体１１に取り付けられた逆支弁付きノズル１３からなり、このノズルを介して加圧空気を適宜ポンプ（図示省略）によって導入可能である。
【００１９】
仕切りフレーム８（蓋）は、パイプの内部に移動可能に挿入するための略円形のポリエチレン樹脂製仕切り板１５と、この仕切り板の外周縁に沿って、開口を外向きとし弾性中空体１１を交換可能に嵌入保持するための断面コ字状部１６を有するアルミニューム製リム１７とからなる。なお、ノズル１３は、リム１７に形成された通孔１８を介し仕切りフレーム８（蓋）の中心Ｏに向かって突出する。１９はそのノズル１３の支持部材、２０、２０は仕切りフレーム８（蓋）の運搬用ハンドル、２１、２２はリム１７を仕切り板１５に固定するボルト、ナットである。
【００２０】
次に、以上の構成を備えたパイプ溶着部の超音波漏洩検査装置１および漏洩検査用仕切り具９の作動を簡単に説明する。
まず、仕切り具９について、各弾性中空体１１にポンプ（図示省略）によってノズル１３を介して加圧空気を導入し、弾性中空体１１を膨らませて、その外周部をパイプ内面に密着保持させる。
【００２１】
かくして、大口径のポリエチレン樹脂製パイプの被検査部分（パイプの口径：１５００ｍｍ、電気溶着：エレクトロフュージョンにより接合された継ぎ手１０）は、その内面の円形が変形したり（例えば最大±１０ｍｍのズレが生ずる）、内面に凹凸があっても、弾性中空体１１が、その形状に対応して変形させることができ、それによって弾性中空体１１をパイプ内面に密着させて、超音波がパイプ内を長手方向に両側開口へ逃げるのを防ぐことができる。これによって、超音波発信器５で発生する超音波をパイプの被検査部分に有効に利用でき、パイプ溶着部の超音波漏洩検出の有無がより確実になる。
【００２２】
なお、超音波発信器５から超音波（４０ＫＨｚ）が発せられると、超音波受信器７を被検査部分の外周に沿って徐々に移動させながら、超音波発信器５からパイプの被検査部分を介して通過する超音波の有無を調べる。すなわち、超音波受信器７によって受信される超音波の有無信号に基づいて、パイプ溶着部の超音波漏洩箇所の有無を確実に判定することができる。
また、仕切り具９は、屋外での工事現場で溶着作業を行うとき、風などによって溶着部分の温度が低下しないようにするための風避けにも使用することができる。
【００２３】
【発明の効果】
本発明によれば、仕切りフレームの外周縁に沿って取り付けられた輪状の弾性中空体およびこの弾性中空体を膨らませるための加圧空気導入部を備えているので、弾性中空体を膨らませてその外周部分をパイプの内周面に密接保持させることができ、それによってパイプ内面の円形が変形したり、内径が若干相違したり、内面に凹凸があっても、パイプ内部をその被検査部分の一方側または両側で気密に仕切って超音波をパイプの被検査部分に有効に利用でき、パイプ溶着部の超音波漏洩検出をより確実にできる。
【図面の簡単な説明】
【図１】本発明に係るパイプの漏洩検査用装置の実施形態を示す一部破断部分を含む概略構成説明斜視図である。
【図２】図１の仕切り具の、向かって左側半分を省略する正面図である。
【図３】図２の仕切り具の中央縦断面図である。
【図４】図３のＡ部拡大図である。
【符号の説明】
１          パイプの漏洩検査用装置
５          超音波発信器
７          超音波受信器
８          仕切りフレーム
９          仕切り具
１０        継ぎ手
１１        弾性中空体
１２        加圧空気導入部
１３        逆支弁付ノズル
１５        仕切り板
１６        断面コ字状部
１７        リム
１８        通孔
１９        支持部材
２０        ハンドル
２１        ボルト
２２        ナット
Ｏ          仕切りフレームの中心
【図１】
0003856713.tif 000002
【図２】
0003856713.tif 000003
【図３】
0003856713.tif 000004
【図４】
0003856713.tif 000005